(57)【特許請求の範囲】
【請求項１】
左右両側面に沿って前後方向に配設される右側板部及び左側板部を備えるオープンシールド機であって、
右側板部及び左側板部のいずれか一方の一方側板部の外面に対して垂直かつ一方側板部の下縁が接する仮想上の平面である一方存在面と略平行かつ一方存在面よりも上方に存する仮想上の平面である他方存在面に右側板部及び左側板部のいずれか他方の他方側板部の下縁が接するものである、オープンシールド機。
【請求項２】
右側板部と左側板部とを直接又は間接に連結し支持する連結部を備え、
連結部が、右側板部に一端が直接又は間接に取り付けられると共に左側板部方向に延びる右梁と、左側板部に一端が直接又は間接に取り付けられると共に右側板部方向に延びる左梁と、右梁の他端と左梁の他端とを連結する中間連結部と、を有してなるものである、請求項１に記載のオープンシールド機。
【請求項３】
右梁及び左梁が一方存在面と略平行であり、
中間連結部が、右梁の他端と左梁の他端とを上下方向の異なる位置で連結するものである、請求項２に記載のオープンシールド機。
【請求項４】
右側板部は右前側板部と右後側板部とを含んでなり、
左側板部は左前側板部と左後側板部とを含んでなり、
右梁は、右前側板部に一端が直接又は間接に取り付けられると共に左前側板部方向に延びる右前梁と、右後側板部に一端が直接又は間接に取り付けられると共に左後側板部方向に延びる右後梁と、を含んでなり、
左梁は、左前側板部に一端が直接又は間接に取り付けられると共に右前側板部方向に延びる左前梁と、左後側板部に一端が直接又は間接に取り付けられると共に右後側板部方向に延びる左後梁と、を含んでなり、
中間連結部は、右前梁の他端と左前梁の他端とを連結する前中間連結部と、右後梁の他端と左後梁の他端とを連結する後中間連結部と、を含んでなるものである、請求項２又は３に記載のオープンシールド機。
【請求項５】
右前側板部と右前梁と左前側板部と左前梁と前中間連結部とを含んでなる前部分に対して、右後側板部と右後梁と左後側板部と左後梁と後中間連結部とを含んでなる後部分が前後方向に変位可能に取り付けられると共に、前部分に対して後部分を前後方向に駆動する駆動手段を有してなるものである、請求項４に記載のオープンシールド機。
【請求項６】
右側板部の外面と左側板部の外面とが互いに略平行であり、右梁及び左梁の長手方向が、右側板部及び左側板部の両外面に略垂直なものである、請求項２乃至５のいずれか１に記載のオープンシールド機。
【請求項７】
中間連結部は、右梁の他端が一面に取り付けられる右取付板と、左梁の他端が一面に取り付けられ右取付板と略平行な左取付板と、右取付板の他面と左取付板の他面とに対して主表面が略垂直になるように右取付板の他面に一縁が取り付けられると共に左取付板の他面に他縁が取り付けられ右取付板と左取付板とを連結する連結板と、を有してなるものである、請求項２乃至６のいずれか１に記載のオープンシールド機。
【請求項８】
２以上の連結板が設けられ、該２以上設けられる連結板が、主表面が略直交するものを含むものである、請求項７に記載のオープンシールド機。
【請求項９】
埋設すべき埋設物の設置面である埋設物設置面よりも上面が上方に存する既存物が埋設位置に沿って存在する場合の、請求項１乃至８のいずれか１に記載のオープンシールド機を用いたオープンシールド工法であって、
埋設物設置面に沿った一方面に一方側板部の下縁を当接させると共に、既存物の上面である既存物上面又は既存物上面を覆う覆い層の表面である他方面に他方側板部の下縁を当接させて該オープンシールド機を前進させるものである、オープンシールド工法。
【発明の詳細な説明】
【技術分野】
【０００１】
本発明は、上下水道管やボックスカルバート等の地中構造物を埋設するために用いられるオープンシールド機に関し、より詳細には、左右両側面に沿って前後方向に配設される右側板部及び左側板部を備えるオープンシールド機に関する。
【背景技術】
【０００２】
上下水道管やボックスカルバート等の地中構造物を埋設するために、従来から、オープンシールド機を用いたオープンシールド工法が多用されてきた。オープンシールド工法は、牽引式又は自走式のオープンシールド機を土中に埋入し、該オープンシールド機の内部空間において地中構造物を連結することと土砂を前方向に向けて掘削し該オープンシールド機を前進させることとを順次行いつつ、該オープンシールド機の後方に位置する地中構造物を埋め戻すこと（土砂やモルタル等が用いられることが多い。）を行うことで、地中構造物を連続的に埋設することができるものである。かかるオープンシールド工法やオープンシールド機等については、本出願人も既に多くの出願（例えば、特許文献１〜特許文献８参照）をしているので、詳細な説明は省略する。
【０００３】
図１６（ａ）は、従来から使用されてきたオープンシールド機１０１の平面図であり、図１６（ｂ）は図１６（ａ）のＡ−Ａ断面図である。図１６を参照して、従来から使用されてきたオープンシールド機１０１について説明する。オープンシールド機１０１は、フロント部２１とテール部３１とが前後方向（図中、前方向を矢印Ｑ１にて、後方向を矢印Ｑ２にて、それぞれ示す。）に互いにスライド自在に取り付けられると共に、フロント部２１とテール部３１との間に推進ジャッキ４１（右側に上下一対と左側に上下一対との合計４本の推進ジャッキが配設されている。）が取り付けられている。
フロント部２１は、左右に一対配設された右フロント側板部２３ａ及び左フロント側板部２３ｂと、右フロント側板部２３ａの内面に一端が取り付けられると共に左フロント側板部２３ｂの内面に他端が取り付けられたフロント支持梁１２５と、を有してなる。右フロント側板部２３ａには右フロント側面板３ａが取り付けられると共に左フロント側板部２３ｂには左フロント側面板３ｂが取り付けられている。
テール部３１は、左右に一対配設された右テール側板部３３ａ及び左テール側板部３３ｂと、右テール側板部３３ａの内面に一端が取り付けられると共に左テール側板部３３ｂの内面に他端が取り付けられたテール支持梁１３５と、を有してなる。右テール側板部３３ａには右テール側面板５ａが取り付けられる（右テール側面板５ａは右テール側板部３３ａに前後にスライド可能に取り付けられると共に、右フロント側面板３ａに連結されることで、右フロント側面板３ａと一体となって動く。）と共に左テール側板部３３ｂには左テール側面板５ｂが取り付けられている（左テール側面板５ｂは左テール側板部３３ｂに前後にスライド可能に取り付けられると共に、左フロント側面板３ｂに連結されることで、左フロント側面板３ｂと一体となって動く。）。
このようにオープンシールド機１０１は、左右両側面に沿って前後方向に配設される右側板部（右フロント側板部２３ａ、右テール側板部３３ａ）及び左側板部（左フロント側板部２３ｂ、左テール側板部３３ｂ）を備える。
推進ジャッキ４１をのばすとフロント部２１とテール部３１との間が前後に伸びるので、オープンシールド機１０１の後方の土砂（例えば、埋め戻されたもの）を反力板３９が押し固めると共にその押し固めによって生じる前方への反力によってフロント部２１が前進（矢印Ｑ１方向）し、次いで、前方の掘削と共に推進ジャッキ４１を縮めるとテール部３１が前方へ移動（矢印Ｑ１方向）し、その後、オープンシールド機１０１の後方に土砂を埋め戻し、再び、推進ジャッキ４１をのばすとフロント部２１が再び前進する。このように推進ジャッキ４１をのばす（後方の土砂の押し固め、フロント部２１の前進）、前方の掘削、推進ジャッキ４１を縮める（テール部３１が前進）、後方の土砂埋め戻し、オープンシールド機１０１の内部空間１０１ｃでの地中構造物２０１連結、という工程を繰り返すことによって、オープンシールド機１０１により地中構造物２０１を連結させつつ埋設できる。
【先行技術文献】
【特許文献】
【０００４】
【特許文献１】特開２００４−１１６１７９号公報
【特許文献２】特開２００３−６４９８７号公報
【特許文献３】特開２００２−６１４９２号公報
【特許文献４】特開２００１−４９９９１号公報
【特許文献５】特開平１１−１３１９７９号公報
【特許文献６】特開平１０−２９９３８６号公報
【特許文献７】特開平１０−１３１６７３号公報
【特許文献８】特開平７−４２４８８号公報
【発明の概要】
【発明が解決しようとする課題】
【０００５】
このように地中構造物を埋設するため多用されてきたオープンシールド機１０１であるが、図１６に示すように地中構造物２０１を連続して埋設すべき位置に沿って別の地中構造物３０１が存する場合のように、地中構造物２０１を連続して埋設する際に想定されるオープンシールド機１０１が設置される設置面が右側の側板部の下縁（ここでは右フロント側面板３ａ及び右テール側面板５ａの下縁）が当接する高さと左側の側板部の下縁（ここでは左フロント側面板３ｂ及び左テール側面板５ｂの下縁）が当接する高さとが異なる場合にはそのままではオープンシールド機１０１を用いることができなかった。かかる場合には、別の地中構造物３０１を取り除いた後にオープンシールド機１０１を用いるか（以下、除去法）、又は別の地中構造物３０１もオープンシールド機１０１の内部空間に収容した状態（即ち、別の地中構造物３０１と地中構造物２０１との両方をオープンシールド機１０１が跨がるように配置される。この場合、右フロント側板部２３ａと左フロント側板部２３ｂとの間と、右テール側板部３３ａと左テール側板部３３ｂとの間と、に別の地中構造物３０１が存する。）にてオープンシールド機１０１を用いるか（以下、収容法）、のいずれかを選択する必要がある。除去法は、別の地中構造物３０１を取り除き、オープンシールド機１０１を用いた地中構造物２０１の埋設が完了した後、別の地中構造物３０１を再び設置する必要があるため、工事の費用及び工期が増加する問題があるし、工事中に別の地中構造物３０１を取り除くことができない場合には適用できない問題もあった（工事中に別の地中構造物３０１を移設しておくことも可能であるが工事の費用及び工期が増加する。）。収容法は、別の地中構造物３０１の分まで掘削する必要があるので工事の費用及び工期が増加するし、別の地中構造物３０１を露出させることで別の地中構造物３０１の破損等の危険性も存し、加えて敷地境界を侵して施工を要する（例えば、別の地中構造物３０１の埋設位置が他人の土地であるような場合）こともありトラブル発生の危険性を高めることもある。
そこで、本発明では、地中構造物を連続して埋設する際に想定されるオープンシールド機が設置される設置面のうち右側板部の下縁が当接する高さと左側板部の下縁が当接する高さとが異なる場合にあってもかかる問題を生じないオープンシールド機を提供することを目的とする。
【課題を解決するための手段】
【０００６】
本発明のオープンシールド機（以下、「本オープンシールド機」という）は、左右両側面に沿って前後方向に配設される右側板部及び左側板部を備えるオープンシールド機であって、右側板部及び左側板部のいずれか一方の一方側板部の外面に対して垂直かつ一方側板部の下縁が接する仮想上の平面である一方存在面と略平行かつ一方存在面よりも上方に存する仮想上の平面である他方存在面に右側板部及び左側板部のいずれか他方の他方側板部の下縁が接するものである、オープンシールド機である。
本オープンシールド機は、上で説明した従来のオープンシールド機１０１と同様、左右両側面に沿って前後方向に配設される右側板部及び左側板部を備えるが、本オープンシールド機における右側板部及び左側板部は、従来のオープンシールド機１０１の右側板部（右フロント側板部２３ａ、右テール側板部３３ａ）及び左側板部（左フロント側板部２３ｂ、左テール側板部３３ｂ）のように前後で別体のもののみならず一体のものも含む。
本オープンシールド機においては、右側板部及び左側板部のいずれか一方の一方側板部の下縁が一方存在面（仮想上の平面）に接すると共に、右側板部及び左側板部のいずれか他方の他方側板部の下縁が他方存在面（仮想上の平面）に接する。この一方存在面は一方側板部の外面に対して垂直であると共に、他方存在面は一方存在面と略平行かつ一方存在面よりも上方に存する（上及び下は本オープンシールド機を用いたオープンシールド工法において鉛直上方向及び鉛直下方向をいう。）。
こうすることで本オープンシールド機では、本オープンシールド機を用いたオープンシールド工法において地中構造物を連続して埋設する際に想定されるオープンシールド機が設置される設置面のうち右側板部の下縁が当接する高さと左側板部の下縁が当接する高さとが異なる場合にあっても、右側板部の下縁と左側板部の下縁とのうち低い方を一方側板部の下縁とし高い方を他方側板部の下縁とすること（即ち、設置面のうち右側板部の下縁が当接する高さと左側板部の下縁が当接する高さとのうち低い方に一方存在面を一致させると共に、高い方に他方存在面を一致させる。）により、本オープンシールド機を安定的に推進し円滑にオープンシールド工法を行うことができる。
【０００７】
本オープンシールド機においては、右側板部と左側板部とを直接又は間接に連結し支持する連結部を備え、連結部が、右側板部に一端が直接又は間接に取り付けられると共に左側板部方向に延びる右梁と、左側板部に一端が直接又は間接に取り付けられると共に右側板部方向に延びる左梁と、右梁の他端と左梁の他端とを連結する中間連結部と、を有してなるもの（以下、「中間連結部具備本オープンシールド機」という）であってもよい。
こうすることで、右側板部に一端が直接又は間接に取り付けられた右梁の他端と、左側板部に一端が直接又は間接に取り付けられた左梁の他端と、を中間連結部が右側板部と左側板部との間で連結することにより右側板部と左側板部とが支持されるので、右側板部と左側板部とを梁により支持する従来の構造（例えば、従来のオープンシールド機１０１の構造を参照されたい）を保持したまま、右側板部の下縁と左側板部の下縁との高さの違う位置関係を中間連結部によりうまく形成できる。
【０００８】
中間連結部具備本オープンシールド機においては、右梁及び左梁が一方存在面と略平行であり、中間連結部が、右梁の他端と左梁の他端とを上下方向の異なる位置で連結するものであってもよい。
このように中間連結部が右梁の他端と左梁の他端とを上下方向の異なる位置で連結することにより右梁及び左梁を一方存在面と略平行に配設することができ、これにより右側板部と左側板部との間に一方存在面と略平行方向に加わる土圧を右梁と左梁とがうまく支えることができる。
【０００９】
中間連結部具備本オープンシールド機においては、右側板部は右前側板部と右後側板部とを含んでなり、左側板部は左前側板部と左後側板部とを含んでなり、右梁は、右前側板部に一端が直接又は間接に取り付けられると共に左前側板部方向に延びる右前梁と、右後側板部に一端が直接又は間接に取り付けられると共に左後側板部方向に延びる右後梁と、を含んでなり、左梁は、左前側板部に一端が直接又は間接に取り付けられると共に右前側板部方向に延びる左前梁と、左後側板部に一端が直接又は間接に取り付けられると共に右後側板部方向に延びる左後梁と、を含んでなり、中間連結部は、右前梁の他端と左前梁の他端とを連結する前中間連結部と、右後梁の他端と左後梁の他端とを連結する後中間連結部と、を含んでなるもの（以下、「前後別体本オープンシールド機」という）であってもよい。
上述の従来のオープンシールド機１０１のように、自走式のオープンシールド機は前部分（フロント部）と後部分（テール部）とを前後方向に互いに変位可能に取り付けて前部分（フロント部）と後部分（テール部）とを伸縮させて自走するため、本オープンシールド機においても自走式とするには前部分（フロント部）と後部分（テール部）とを前後方向に互いに変位可能に別体として構成してもよい。即ち、右側板部は右前側板部と右後側板部とを含み、左側板部は左前側板部と左後側板部とを含み、右梁は右前梁と右後梁とを含み、左梁は左前梁と左後梁とを含み、中間連結部は前中間連結部と後中間連結部とを含んで構成し、前部分（フロント部）は右前側板部と右前梁と左前側板部と左前梁と前中間連結部とを含んでなると共に後部分（テール部）は右後側板部と右後梁と左後側板部と左後梁と後中間連結部とを含んでなるように構成することで、前部分（フロント部）と後部分（テール部）とが前後方向に互いに変位可能に形成できる。
【００１０】
前後別体本オープンシールド機においては、右前側板部と右前梁と左前側板部と左前梁と前中間連結部とを含んでなる前部分に対して、右後側板部と右後梁と左後側板部と左後梁と後中間連結部とを含んでなる後部分が前後方向に変位可能に取り付けられると共に、前部分に対して後部分を前後方向に駆動する駆動手段を有してなるものであってもよい。
このように前部分に対して後部分を前後方向に変位可能に取り付けると共に、駆動手段により前部分に対して後部分を前後方向に駆動することで、上述の従来のオープンシールド機１０１のように自走式のオープンシールド機とすることができる。
【００１１】
中間連結部具備本オープンシールド機においては、右側板部の外面と左側板部の外面とが互いに略平行であり、右梁及び左梁の長手方向が該両方の外面に略垂直なものであってもよい。
こうすることで、一般的なオープンシールド工法に適する右側板部の外面と左側板部の外面とが互いに略平行なものにおいて（この場合、通常、右側板部の外面と左側板部の外面とは鉛直面としてオープンシールド工法が行われる。）、右側板部及び左側板部の両外面に右梁及び左梁の長手方向を略垂直になるように右梁及び左梁を配設することにより、これら両側板部の両外面に垂直方向に加わる土圧を右梁と左梁とがうまく支えることができる。
【００１２】
中間連結部具備本オープンシールド機においては、中間連結部は、右梁の他端が一面に取り付けられる右取付板と、左梁の他端が一面に取り付けられ右取付板と略平行な左取付板と、右取付板の他面と左取付板の他面とに対して主表面が略垂直になるように右取付板の他面に一縁が取り付けられると共に左取付板の他面に他縁が取り付けられ右取付板と左取付板とを連結する連結板と、を有してなるもの（以下、「連結板具備本オープンシールド機」という）であってもよい。
このように、右梁の他端が取り付けられる右取付板と、左梁の他端が取り付けられ右取付板と略平行な左取付板と、右取付板と左取付板との間に右取付板と左取付板とに対し略垂直に取り付けられる連結板と、を中間連結部が有してなることで、連結板が右取付板と左取付板との間で補強リブの役割も果たすことから中間連結部が高い剛性や強度を有し右梁の他端と左梁の他端とを高い剛性や強度で連結することができる。
【００１３】
連結板具備本オープンシールド機の場合、２以上の連結板が設けられ、該２以上設けられる連結板が、主表面が略直交するものを含むものであってもよい。
上述の如く、連結板は右取付板と左取付板との間で補強リブの役割も果たすことから、互いの主表面が略直交する２以上の連結板を設けることにより、互いに略平行な右取付板及び左取付板の一方を他方に対して傾ける力が作用しても、該傾ける力がいずれの方向のものであっても連結板がうまく補強リブとして作用でき、中間連結部がさらに高い剛性や強度を有し右梁の他端と左梁の他端とをさらに高い剛性や強度で連結することができる。
【００１４】
また、本発明は本オープンシールド機を用いたオープンシールド工法（以下、「本オープンシールド工法」という）を提供する。
即ち、本オープンシールド工法は、埋設すべき埋設物の設置面である埋設物設置面よりも上面が上方に存する既存物が埋設位置に沿って存在する場合の本オープンシールド機を用いたオープンシールド工法であって、埋設物設置面に沿った一方面に一方側板部の下縁を当接させると共に、既存物の上面である既存物上面又は既存物上面を覆う覆い層の表面である他方面に他方側板部の下縁を当接させて該オープンシールド機を前進させるものである、オープンシールド工法である。
上述の図１６を用いて説明したように、地中構造物２０１を連続して埋設すべき位置に沿って別の地中構造物３０１が存する場合のオープンシールド工法は従来のオープンシールド機１０１をそのまま用いることは困難であったが、本オープンシールド機を用いることで従来のオープンシールド工法と同様に実施することができる。即ち、埋設すべき埋設物（図１６における地中構造物２０１）の設置面である埋設物設置面よりも上面が上方に存する既存物（図１６における別の地中構造物３０１）が埋設位置（図１６における地中構造物２０１が埋設される位置）に沿って存在する場合の本オープンシールド機を用いたオープンシールド工法として、埋設物設置面に沿った一方面に本オープンシールド機の一方側板部の下縁を当接させると共に、既存物（図１６における別の地中構造物３０１）の上面である既存物上面又は既存物上面を覆う覆い層の表面である他方面に本オープンシールド機の他方側板部の下縁を当接させて該オープンシールド機を前進させることで、既存物（図１６における別の地中構造物３０１）が存在していても従来のオープンシールド工法と同様にオープンシールド工法を実施することができる（前述の除去法や収容法に伴う問題を生じない）。
【図面の簡単な説明】
【００１５】
【図１】本発明の一実施形態に係るオープンシールド機（本オープンシールド機）を示す平面図である。
【図２】図１のＡ−Ａ断面図である。
【図３】図１のＢ−Ｂ断面図である。
【図４】図１のＣ−Ｃ断面図である。
【図５】図１のＤ−Ｄ断面図である。
【図６】図１のＥ部分の拡大図である。
【図７】図６のＦ方向から見たところを示す図である。
【図８】図８（ａ）は図６のＧ−Ｇ断面図であり、図８（ｂ）は図６のＨ−Ｈ断面図である。
【図９】図９（ａ）は図６のＹ１−Ｙ１断面図であり、図９（ｂ）は図６のＹ２−Ｙ２断面図である。
【図１０】図１のＩ部分の拡大図である。
【図１１】図１０のＪ方向から見たところを示す図である。
【図１２】図１２（ａ）は図１０のＫ−Ｋ断面図であり、図１２（ｂ）は図１０のＬ−Ｌ断面図である。
【図１３】図１３（ａ）は図１０のＮ１−Ｎ１断面図であり、図１３（ｂ）は図１０のＮ２−Ｎ２断面図である。
【図１４】本オープンシールド機を用いたボックスカルバートの地中埋設方法を示す平面図である。
【図１５】図１４（ａ）のＶ−Ｖ断面図である。
【図１６】図１６（ａ）は、従来から使用されてきたオープンシールド機の平面図であり、図１６（ｂ）は図１６（ａ）のＡ−Ａ断面図である。
【発明を実施するための形態】
【００１６】
以下、本発明の実施の形態を図面を参照して説明する。しかしながら、これらによって本発明は何ら制限されるものではない。
【００１７】
図１は、本発明の一実施形態に係るオープンシールド機（本オープンシールド機）１１を示す平面図であり、図２は図１のＡ−Ａ断面図であり、図３は図１のＢ−Ｂ断面図であり、図４は図１のＣ−Ｃ断面図であり、図５は図１のＤ−Ｄ断面図であり、図６は図１のＥ部分の拡大図（後述の前方中間フレーム５１部分を拡大している）であり、図７は図６のＦ方向から見たところを示す図であり、図８（ａ）は図６のＧ−Ｇ断面図であり、図８（ｂ）は図６のＨ−Ｈ断面図であり、図９（ａ）は図６のＹ１−Ｙ１断面図であり、図９（ｂ）は図６のＹ２−Ｙ２断面図であり、図１０は図１のＩ部分の拡大図（後述の後方中間フレーム５５部分を拡大している）であり、図１１は図１０のＪ方向から見たところを示す図であり、図１２（ａ）は図１０のＫ−Ｋ断面図であり、図１２（ｂ）は図１０のＬ−Ｌ断面図であり、図１３（ａ）は図１０のＮ１−Ｎ１断面図であり、図１３（ｂ）は図１０のＮ２−Ｎ２断面図である。図１乃至図１３を参照して、本オープンシールド機１１について説明する。
【００１８】
本オープンシールド機１１は、フロント部２１とテール部３１とが前後方向（図中、前方向を矢印Ｑ１にて、後方向を矢印Ｑ２にて、それぞれ示す。）に互いにスライド（変位）自在に取り付けられると共に、フロント部２１とテール部３１との間に推進ジャッキ４１（右側に上下一対（図２）と左側に上下一対（図３）との合計４本の推進ジャッキ４１が配設されている。）が取り付けられている。これら４本の推進ジャッキ４１を伸ばす（推進ジャッキ４１を伸縮させるための油圧装置及びその制御装置は制御部６１に収容されている。）とフロント部２１とテール部３１との間が前後に伸びるので、本オープンシールド機１１の後方に土砂（例えば、埋め戻されたもの）が存すれば、テール部３１の後端に着脱自在に取り付けられた反力板３９が該土砂の前端を後方に向けて押し固めると共にその押し固めによって生じる前方への反力によってフロント部２１が前進（矢印Ｑ１方向）し、次いで、前方の掘削と共に推進ジャッキ４１を縮めるとテール部３１が前方へ移動（矢印Ｑ１方向）し、その後、本オープンシールド機１１の後方に土砂を埋め戻し、再び、推進ジャッキ４１をのばすと、土砂の前端を後方に向けて押し固めると共にその押し固めによって生じる前方への反力によってフロント部２１が再び前進する。このように推進ジャッキ４１をのばす（後方の土砂の押し固めと、フロント部２１の前進）、前方の掘削、推進ジャッキ４１を縮める（テール部３１の前進）、後方に土砂を埋め戻す、という工程を繰り返すことによって、本オープンシールド機１１の後方の土砂を押し固めつつ本オープンシールド機１１を前進させることができる。このように本オープンシールド機１１の前進と共に本オープンシールド機１１の内部１１ｃに上下水道管やボックスカルバート等の地中構造物（不図示）を前方方向に向けて順次埋設することで、前後方向に沿って地中構造物（不図示）を連続して埋設できる。
【００１９】
フロント部２１は、左右（制御部６１に乗った操作者（不図示）が前方向（矢印Ｑ１方向）に向いた状態において該操作者が認識する左右をいう。）に一対配設された右フロント側板部２３ａ及び左フロント側板部２３ｂ（従来のオープンシールド機１０１と同様、右フロント側板部２３ａには右フロント側面板が取り付けられると共に左フロント側板部２３ｂには左フロント側面板が取り付けられている。）と、右フロント側板部２３ａの内面に一端が取り付けられ右フロント側板部２３ａを支持する右フロント支持梁２４（一対の右フロント上支持梁２４ａ１、２４ａ２と一対の右フロント中支持梁２４ｂ１、２４ｂ２と右フロント下支持梁２４ｃとを含む。なお、右フロント側板部２３ａについてのほとんどの荷重は右フロント上支持梁２４ａ１、２４ａ２と右フロント中支持梁２４ｂ１、２４ｂ２とが負担することで右フロント側板部２３ａは支持されている。右フロント下支持梁２４ｃは、後述の左フロント下支持梁２５ｃが土表面をならす等の場合に受ける荷重を主として負担するためのものである。）と、左フロント側板部２３ｂの内面に一端が取り付けられ左フロント側板部２３ｂを支持する左フロント支持梁２５（一対の左フロント上支持梁２５ａ１、２５ａ２と一対の左フロント中支持梁２５ｂ１、２５ｂ２と左フロント下支持梁２５ｃとを含む。なお、左フロント側板部２３ｂについてのほとんどの荷重は左フロント上支持梁２５ａ１、２５ａ２と左フロント中支持梁２５ｂ１、２５ｂ２とが負担することで左フロント側板部２３ｂは支持されている。左フロント下支持梁２５ｃは主として土表面をならす等のために設けられているものである。）と、一対の右フロント上支持梁２４ａ１、２４ａ２の他端と一対の右フロント中支持梁２４ｂ１、２４ｂ２の他端と一対の左フロント上支持梁２５ａ１、２５ａ２の他端と一対の左フロント中支持梁２５ｂ１、２５ｂ２の他端とに取り付けられた前方中間フレーム５１と、を有してなる。
【００２０】
前方中間フレーム５１により、右フロント上支持梁２４ａ１、２４ａ２の他端及び右フロント中支持梁２４ｂ１、２４ｂ２の他端と、左フロント上支持梁２５ａ１、２５ａ２の他端及び左フロント中支持梁２５ｂ１、２５ｂ２の他端と、が連結されている。そして、ここでは右フロント上支持梁２４ａ１、２４ａ２の他端は左フロント上支持梁２５ａ１、２５ａ２の他端よりも高さＭだけ高い位置において前方中間フレーム５１に取り付けられると共に、右フロント中支持梁２４ｂ１、２４ｂ２の他端は左フロント中支持梁２５ｂ１、２５ｂ２の他端よりも高さＭだけ高い位置において前方中間フレーム５１に取り付けられている（特に図７参照）。
また、前方中間フレーム５１は、後述の埋設すべき埋設物（ボックスカルバート２０３）や既存物（地中構造物３０１）と十分な間隔を保持できるような位置に配設されている。
【００２１】
前方中間フレーム５１は、両主表面が長方形状をなす第１取付板５３ａと、両主表面が長方形状をなす第２取付板５３ｂと、第１取付板５３ａと第２取付板５３ｂとを互いに連結する連結板５４と、を含んでなる。第１取付板５３ａと第２取付板５３ｂとは互いに略平行に配設されており、大まかには前方中間フレーム５１はこれら第１取付板５３ａと第２取付板５３ｂとを２の表面とする直方体形状を略なしている。連結板５４は、第１取付板５３ａの内面５３ａａと第２取付板５３ｂの内面５３ｂａとに縁部が取り付けられた複数の板状部材を有してなり、詳細には、両内面５３ａａ、５３ｂａに略垂直かつ上下方向に主表面が沿った４の縦部材５４ａ１、５４ａ２、５４ａ３、５４ａ４と、両内面５３ａａ、５３ｂａに略垂直かつ水平方向に主表面が沿った４の横部材５４ｂ１、５４ｂ２、５４ｂ３、５４ｂ４と、を含んでなる。縦部材５４ａ１、５４ａ２、５４ａ３、５４ａ４いずれも同じ形状及び寸法の短冊状（両主表面が細長い長方形）の部材であり、該短冊状の部材は互いに略平行な一対の縁部（長い縁部）の一方が内面５３ａａに取り付けられると共に該一対の縁部の他方が内面５３ｂａに取り付けられている。縦部材５４ａ１、５４ａ２、５４ａ３、５４ａ４いずれの主表面も両内面５３ａａ、５３ｂａに略垂直であると共に鉛直面に略平行である。横部材５４ｂ１、５４ｂ２、５４ｂ３、５４ｂ４いずれも同じ形状及び寸法の短冊状（両主表面が細長い長方形）の部材であり、互いに略平行な一対の縁部（長い縁部）の一方が内面５３ａａに取り付けられると共に該一対の縁部の他方が内面５３ｂａに取り付けられている。また、横部材５４ｂ１、５４ｂ２、５４ｂ３、５４ｂ４の他の一対の縁部（内面５３ａａ、５３ｂａに取り付けられている縁部とは異なる縁部。短い縁部。）の一方が縦部材５４ａ２に取り付けられると共に該一対の縁部の他方が縦部材５４ａ３に取り付けられている。横部材５４ｂ１、５４ｂ２、５４ｂ３、５４ｂ４いずれの主表面も両内面５３ａａ、５３ｂａに略垂直であり、縦部材５４ａ１、５４ａ２、５４ａ３、５４ａ４に略垂直であると共に水平面に略平行である。また、第１取付板５３ａ及び第２取付板５３ｂには、軽量化やボルトナット操作（緩めたり締めたりの操作）等のために切り欠き部５２が形成されている。
【００２２】
右フロント上支持梁２４ａ１、２４ａ２の前記他端が取り付けられる第１取付板５３ａの外面にはあて板５３ａｔａが取り付けられる（ここでは第１取付板５３ａはあて板５３ａｔａを有する）と共に右フロント上支持梁２４ａ１、２４ａ２両方の前記他端を連結するように補強リブ５３ａｒａが形成されており、これら右フロント上支持梁２４ａ１、２４ａ２両方の前記他端は第１取付板５３ａの外面に十分な強度で固定されている。右フロント中支持梁２４ｂ１、２４ｂ２の前記他端が取り付けられる第１取付板５３ａの外面にはあて板５３ａｔｂが取り付けられる（ここでは第１取付板５３ａはあて板５３ａｔｂを有する）と共に右フロント中支持梁２４ｂ１、２４ｂ２両方の前記他端を連結するように補強リブ５３ａｒｂが形成されており、これら右フロント中支持梁２４ｂ１、２４ｂ２両方の前記他端は第１取付板５３ａの外面に十分な強度で固定されている。
左フロント上支持梁２５ａ１、２５ａ２の前記他端が取り付けられる第２取付板５３ｂの外面にはあて板５３ｂｔａが取り付けられる（ここでは第２取付板５３ｂはあて板５３ｂｔａを有する）と共に左フロント上支持梁２５ａ１、２５ａ２両方の前記他端を連結するように補強リブ５３ｂｒａが形成されており、これら左フロント上支持梁２５ａ１、２５ａ２両方の前記他端は第２取付板５３ｂの外面に十分な強度で固定されている。左フロント中支持梁２５ｂ１、２５ｂ２の前記他端が取り付けられる第２取付板５３ｂの外面にはあて板５３ｂｔｂが取り付けられる（ここでは第２取付板５３ｂはあて板５３ｂｔｂを有する）と共に左フロント中支持梁２５ｂ１、２５ｂ２両方の前記他端を連結するように補強リブ５３ｂｒｂが形成されており、これら左フロント中支持梁２５ｂ１、２５ｂ２両方の前記他端は第２取付板５３ｂの外面に十分な強度で固定されている。
このように前方中間フレーム５１は、第１取付板５３ａと第２取付板５３ｂとそれらを互いに連結する連結板５４とにより軽量でありながら高い剛性を有しており、右フロント上支持梁２４ａ１、２４ａ２及び右フロント中支持梁２４ｂ１、２４ｂ２と、左フロント上支持梁２５ａ１、２５ａ２及び左フロント中支持梁２５ｂ１、２５ｂ２と、を十分な強度及び剛性で確実に連結している。
また、右フロント下支持梁２４ｃの他端は左フロント下支持梁２５ｃの他端よりも高さＭだけ高い位置において右フロント下支持梁２４ｃの他端と左フロント下支持梁２５ｃの他端とはいずれも連結部５９（連結板５９ａと一対の補強板５９ｂとを含んでなる）に取り付けられることで互いに連結されている。なお、右フロント下支持梁２４ｃと左フロント下支持梁２５ｃと連結部５９とは、後述の埋設すべき埋設物（ボックスカルバート２０３）や既存物（地中構造物３０１）と十分な間隔を保持できるような位置に配設されている。
【００２３】
テール部３１は、左右に一対配設された右テール側板部３３ａ及び左テール側板部３３ｂ（従来のオープンシールド機１０１と同様、右テール側板部３３ａには右テール側面板が取り付けられる（右テール側面板は右テール側板部３３ａに前後にスライド可能に取り付けられると共に、右フロント側面板に連結されることで、右フロント側面板と一体となって動く。）と共に左テール側板部３３ｂには左テール側面板が取り付けられている（左テール側面板は左テール側板部３３ｂに前後にスライド可能に取り付けられると共に、左フロント側面板に連結されることで、左フロント側面板と一体となって動く。））と、右テール側板部３３ａの内面に一端が取り付けられると共に左テール側板部３３ｂの内面に他端が取り付けられることで右テール側板部３３ａ及び左テール側板部３３ｂを支持するテール後方支持梁３５ｃと、右テール側板部３３ａの内面に一端が取り付けられ右テール側板部３３ａを支持する右テール前方支持梁３４（右テール上支持梁３４ａと右テール中支持梁３４ｂとを含む。）と、左テール側板部３３ｂの内面に一端が取り付けられ左テール側板部３３ｂを支持する左テール前方支持梁３５（左テール上支持梁３５ａと左テール中支持梁３５ｂとを含む。）と、右テール上支持梁３４ａの他端と右テール中支持梁３４ｂの他端と左テール上支持梁３５ａの他端と左テール中支持梁３５ｂの他端とに取り付けられた後方中間フレーム５５と、を有してなる。
【００２４】
この後方中間フレーム５５により、右テール上支持梁３４ａの他端及び右テール中支持梁３４ｂの他端と、左テール上支持梁３５ａの他端及び左テール中支持梁３５ｂの他端と、が連結されている。そして、ここでは右テール上支持梁３４ａの他端は左テール上支持梁３５ａの他端よりも高さＭだけ高い位置において後方中間フレーム５５に取り付けられると共に、右テール中支持梁３４ｂの他端は左テール中支持梁３５ｂの他端よりも高さＭだけ高い位置において後方中間フレーム５５に取り付けられている（特に図１１参照）。
また、後方中間フレーム５５は、後述の埋設すべき埋設物（ボックスカルバート２０３）や既存物（地中構造物３０１）と十分な間隔を保持できるような位置に配設されている。
【００２５】
後方中間フレーム５５は、両主表面が長方形状をなす第１取付板５８ａと、両主表面が長方形状をなす第２取付板５８ｂと、第１取付板５８ａと第２取付板５８ｂとを互いに連結する連結板５７と、を含んでなる。第１取付板５８ａと第２取付板５８ｂとは互いに略平行に配設されており、大まかには後方中間フレーム５５はこれら第１取付板５８ａと第２取付板５８ｂとを２の表面とする直方体形状を略なしている。連結板５７は、第１取付板５８ａの内面５８ａａと第２取付板５８ｂの内面５８ｂａとに縁部が取り付けられた複数の板状部材を有してなり、詳細には、両内面５８ａａ、５８ｂａに略垂直かつ上下方向に主表面が沿った２の縦部材５７ａ１、５７ａ２と、両内面５８ａａ、５８ｂａに略垂直かつ水平方向に主表面が沿った４の横部材５７ｂ１、５７ｂ２、５７ｂ３、５７ｂ４と、を含んでなる。縦部材５７ａ１、５７ａ２はいずれも同じ形状及び寸法の短冊状（両主表面が細長い長方形）の部材であり、互いに略平行な一対の縁部（長い縁部）の一方が内面５８ａａに取り付けられると共に該一対の縁部の他方が内面５８ｂａに取り付けられている。縦部材５７ａ１、５７ａ２いずれの主表面も両内面５８ａａ、５８ｂａに略垂直であると共に鉛直面に略平行である。横部材５７ｂ１、５７ｂ２、５７ｂ３、５７ｂ４いずれも同じ形状及び寸法の短冊状（両主表面が細長い長方形）の部材であり、互いに略平行な一対の縁部（長い縁部）の一方が内面５８ａａに取り付けられると共に該一対の縁部の他方が内面５８ｂａに取り付けられている。また、横部材５７ｂ１、５７ｂ２、５７ｂ３、５７ｂ４の他の一対の縁部（内面５８ａａ、５８ｂａに取り付けられている縁部とは異なる縁部。短い縁部。）の一方が縦部材５７ａ１に取り付けられると共に該一対の縁部の他方が縦部材５７ａ２に取り付けられている。横部材５７ｂ１、５７ｂ２、５７ｂ３、５７ｂ４いずれの主表面も両内面５８ａａ、５８ｂａに略垂直であり、縦部材５７ａ１、５７ａ２に略垂直であると共に水平面に略平行である。また、第１取付板５８ａ及び第２取付板５８ｂには、軽量化やボルトナット操作（緩めたり締めたりの操作）等のために切り欠き部５６が形成されている。
【００２６】
右テール上支持梁３４ａの前記他端が取り付けられる第１取付板５８ａの外面にはあて板５８ａｔａが取り付けられる（ここでは第１取付板５８ａはあて板５８ａｔａを有する）と共に右テール中支持梁３４ｂの前記他端が取り付けられる第１取付板５８ａの外面にはあて板５８ａｔｂが取り付けられており（ここでは第１取付板５８ａはあて板５８ａｔｂを有する）、これら右テール上支持梁３４ａの前記他端と右テール中支持梁３４ｂの前記他端とは第１取付板５８ａの外面に十分な強度で固定されている。
左テール上支持梁３５ａの前記他端が取り付けられる第２取付板５８ｂの外面にはあて板５８ｂｔａが取り付けられる（ここでは第２取付板５８ｂはあて板５８ｂｔａを有する）と共に左テール中支持梁３５ｂの前記他端が取り付けられる第２取付板５８ｂの外面にはあて板５８ｂｔｂが取り付けられており（ここでは第２取付板５８ｂはあて板５８ｂｔｂを有する）、これら左テール上支持梁３５ａの前記他端と左テール中支持梁３５ｂの前記他端とは第２取付板５８ｂの外面に十分な強度で固定されている。
このように後方中間フレーム５５は、第１取付板５８ａと第２取付板５８ｂとそれらを互いに連結する連結板５７とにより軽量でありながら高い剛性を有しており、右テール上支持梁３４ａ及び右テール中支持梁３４ｂと、左テール上支持梁３５ａ及び左テール中支持梁３５ｂと、を十分な強度及び剛性で確実に連結している。
【００２７】
このように本オープンシールド機１１においては、右フロント上支持梁２４ａ１、２４ａ２及び右フロント中支持梁２４ｂ１、２４ｂ２が左フロント上支持梁２５ａ１、２５ａ２及び左フロント中支持梁２５ｂ１、２５ｂ２よりも高さＭだけ高い位置において前方中間フレーム５１に取り付けられると共に、右テール上支持梁３４ａ及び右テール中支持梁３４ｂが左テール上支持梁３５ａ及び左テール中支持梁３５ｂよりも高さＭだけ高い位置において後方中間フレーム５５に取り付けられていることで、右フロント側板部２３ａの下縁８１ａ及び右テール側板部３３ａの下縁８３ａが、左フロント側板部２３ｂの下縁８１ｂ及び左テール側板部３３ｂの下縁８３ｂよりもＭだけ高い位置に存在している。
なお、右フロント側板部２３ａの下縁８１ａ及び右テール側板部３３ａの下縁８３ａはいずれも第１平面Ｐ１（仮想上の平面）に沿うように形成されると共に（ここでは下縁８１ａ及び下縁８３ａは第１平面Ｐ１に存する第１直線に沿って形成されている。）、左フロント側板部２３ｂの下縁８１ｂ及び左テール側板部３３ｂの下縁８３ｂはいずれも第２平面Ｐ２（仮想上の平面）に沿うように形成されている（ここでは下縁８１ｂ及び下縁８３ｂは第２平面Ｐ２に存する第２直線に沿って形成されている。なお、ここでは第１直線と第２直線とは略平行である。）。また、第１平面Ｐ１と第２平面Ｐ２との間の距離が上述のＭと同じである。
【００２８】
本オープンシールド機１１の使用方法を以下に説明する。
図１４（ａ）は、本オープンシールド機１１を用いたボックスカルバート２０３の地中埋設方法を示す平面図（本オープンシールド機１１については図１と同様の方向から見ている）であり、図１５は図１４（ａ）のＶ−Ｖ断面図である。なお、図１４及び図１５は、図示及び理解を容易にするため、本オープンシールド機１１の構造を簡略化して図示している。
図１４（ａ）及び図１５は、地中構造物３０１（ここでは内部に流路３０２を有するパイプである。）に近接した位置に地中構造物３０１に沿ってボックスカルバート２０３を連続して埋設するところを示している（ここでは地中構造物３０１の上面よりもボックスカルバート２０３の下面が低い。）。右フロント側板部２３ａの外面、右テール側板部３３ａの外面、左フロント側板部２３ｂの外面及び左テール側板部３３ｂの外面はここでは鉛直に略なっており、第１平面Ｐ１及び第２平面Ｐ２のいずれも水平に略なっている。
上述の通り、右フロント側板部２３ａの下縁８１ａ及び右テール側板部３３ａの下縁８３ａが、左フロント側板部２３ｂの下縁８１ｂ及び左テール側板部３３ｂの下縁８３ｂよりも高いので、右フロント側板部２３ａの下縁８１ａ及び右テール側板部３３ａの下縁８３ａが地中構造物３０１に沿って地中構造物３０１の上方に存するように本オープンシールド機１１を配置することで地中構造物３０１を避けて本オープンシールド機１１によりボックスカルバート２０３を地中に埋設することができる（なお、地中構造物３０１を避けて土砂を掘削した面５０１を図１５に示している。）。
図１４（ａ）の状態から４本の推進ジャッキ４１を伸ばすことでフロント部２１とテール部３１との間を前後に伸ばし、本オープンシールド機１１の後方の土砂４０１を反力板３９により押し固めると共にその押し固めによって生じる前方への反力によってフロント部２１を前進させる。このようにフロント部２１を前進させた状態を図１４（ｂ）に示している。さらに図１４（ｂ）の状態から推進ジャッキ４１を縮めてテール部３１を前方へ移動させ（図１４（ｃ）の状態）、その後、本オープンシールド機１１の後方に土砂を埋め戻す。そして、図１４（ａ）から図１４（ｂ）と同様に、再び、推進ジャッキ４１を伸ばしてフロント部２１を前進させる。このようにして本オープンシールド機１１を前進させつつ、本オープンシールド機１１の内部１１ｃにおいてボックスカルバート２０３を前方方向に向けて順次埋設及び接続することで、前後方向に沿ってボックスカルバート２０３を連続して埋設することができる。なお、図１４（ａ）の状態とするには、従来のオープンシールド機と同様、本オープンシールド機１１を土中に潜入させるための穴を土表面から掘削し、該穴に本オープンシールド機１１を降下させた後、ボックスカルバート２０３埋設及び本オープンシールド機１１前進を行う。
【００２９】
以上説明した通り、本オープンシールド機１１は、左右両側面に沿って前後方向に配設される右側板部（ここでは右フロント側板部２３ａと右テール側板部３３ａとを含んでなる）及び左側板部（ここでは左フロント側板部２３ｂと左テール側板部３３ｂとを含んでなる）を備えるオープンシールド機であって、右側板部（右フロント側板部２３ａ、右テール側板部３３ａ）及び左側板部（左フロント側板部２３ｂ、左テール側板部３３ｂ）のいずれか一方の一方側板部（ここでは左側板部（左フロント側板部２３ｂ、左テール側板部３３ｂ））の外面に対して垂直かつ一方側板部（左側板部（左フロント側板部２３ｂ、左テール側板部３３ｂ））の下縁（下縁８１ｂ、下縁８３ｂ）が接する仮想上の平面である一方存在面（ここでは第２平面Ｐ２）と略平行かつ一方存在面（第２平面Ｐ２）よりも上方に存する仮想上の平面である他方存在面（ここでは第１平面Ｐ１）に右側板部（右フロント側板部２３ａ、右テール側板部３３ａ）及び左側板部（左フロント側板部２３ｂ、左テール側板部３３ｂ）のいずれか他方の他方側板部（ここでは右側板部（右フロント側板部２３ａ、右テール側板部３３ａ）の下縁（下縁８１ａ、下縁８３ａ）が接するものである、オープンシールド機である。
【００３０】
本オープンシールド機１１においては、右側板部（右フロント側板部２３ａ、右テール側板部３３ａ）と左側板部（左フロント側板部２３ｂ、左テール側板部３３ｂ）とを直接又は間接に連結し支持する連結部を備え、連結部が、右側板部（右フロント側板部２３ａ、右テール側板部３３ａ）に一端が直接又は間接（ここでは直接）に取り付けられると共に左側板部（左フロント側板部２３ｂ、左テール側板部３３ｂ）方向に延びる右梁（ここでは右フロント上支持梁２４ａ１、２４ａ２、右フロント中支持梁２４ｂ１、２４ｂ２、右テール上支持梁３４ａ、右テール中支持梁３４ｂを含んでなる）と、左側板部（左フロント側板部２３ｂ、左テール側板部３３ｂ）に一端が直接又は間接（ここでは直接）に取り付けられると共に右側板部（右フロント側板部２３ａ、右テール側板部３３ａ）方向に延びる左梁（ここでは左フロント上支持梁２５ａ１、２５ａ２、左フロント中支持梁２５ｂ１、２５ｂ２、左テール上支持梁３５ａ、左テール中支持梁３５ｂを含んでなる）と、右梁の他端と左梁の他端とを連結する中間連結部（ここでは前方中間フレーム５１と後方中間フレーム５５とを有してなる）と、を有してなるものである。
【００３１】
本オープンシールド機１１においては、右梁（右フロント上支持梁２４ａ１、２４ａ２、右フロント中支持梁２４ｂ１、２４ｂ２、右テール上支持梁３４ａ、右テール中支持梁３４ｂ）及び左梁（左フロント上支持梁２５ａ１、２５ａ２、左フロント中支持梁２５ｂ１、２５ｂ２、左テール上支持梁３５ａ、左テール中支持梁３５ｂ）が一方存在面（第２平面Ｐ２）と略平行であり、中間連結部（前方中間フレーム５１、後方中間フレーム５５）が、右梁（右フロント上支持梁２４ａ１、２４ａ２、右フロント中支持梁２４ｂ１、２４ｂ２、右テール上支持梁３４ａ、右テール中支持梁３４ｂ）の他端と左梁（左フロント上支持梁２５ａ１、２５ａ２、左フロント中支持梁２５ｂ１、２５ｂ２、左テール上支持梁３５ａ、左テール中支持梁３５ｂ）の他端とを上下方向の異なる位置（高さＭが異なる）で連結するものである。
【００３２】
本オープンシールド機１１においては、右側板部（右フロント側板部２３ａ、右テール側板部３３ａ）は右前側板部（右フロント側板部２３ａ）と右後側板部（右テール側板部３３ａ）とを含んでなり、左側板部（左フロント側板部２３ｂ、左テール側板部３３ｂ）は左前側板部（左フロント側板部２３ｂ）と左後側板部（左テール側板部３３ｂ）とを含んでなり、右梁（右フロント上支持梁２４ａ１、２４ａ２、右フロント中支持梁２４ｂ１、２４ｂ２、右テール上支持梁３４ａ、右テール中支持梁３４ｂ）は、右前側板部（右フロント側板部２３ａ）に一端が直接又は間接に取り付けられると共に左前側板部（左フロント側板部２３ｂ）方向に延びる右前梁（右フロント上支持梁２４ａ１、２４ａ２、右フロント中支持梁２４ｂ１、２４ｂ２）と、右後側板部（右テール側板部３３ａ）に一端が直接又は間接に取り付けられると共に左後側板部（左テール側板部３３ｂ）方向に延びる右後梁（右テール上支持梁３４ａ、右テール中支持梁３４ｂ）と、を含んでなり、左梁（左フロント上支持梁２５ａ１、２５ａ２、左フロント中支持梁２５ｂ１、２５ｂ２、左テール上支持梁３５ａ、左テール中支持梁３５ｂ）は、左前側板部（左フロント側板部２３ｂ）に一端が直接又は間接に取り付けられると共に右前側板部（右フロント側板部２３ａ）方向に延びる左前梁（左フロント上支持梁２５ａ１、２５ａ２、左フロント中支持梁２５ｂ１、２５ｂ２）と、左後側板部（左テール側板部３３ｂ）に一端が直接又は間接に取り付けられると共に右後側板部（右テール側板部３３ａ）方向に延びる左後梁（左テール上支持梁３５ａ、左テール中支持梁３５ｂ）と、を含んでなり、中間連結部（前方中間フレーム５１、後方中間フレーム５５）は、右前梁（右フロント上支持梁２４ａ１、２４ａ２、右フロント中支持梁２４ｂ１、２４ｂ２）の他端と左前梁（左フロント上支持梁２５ａ１、２５ａ２、左フロント中支持梁２５ｂ１、２５ｂ２）の他端とを連結する前中間連結部（ここでは前方中間フレーム５１）と、右後梁（右テール上支持梁３４ａ、右テール中支持梁３４ｂ）の他端と左後梁（左テール上支持梁３５ａ、左テール中支持梁３５ｂ）の他端とを連結する後中間連結部（後方中間フレーム５５）と、を含んでなるものである。
【００３３】
本オープンシールド機１１においては、右前側板部（右フロント側板部２３ａ）と右前梁（右フロント上支持梁２４ａ１、２４ａ２、右フロント中支持梁２４ｂ１、２４ｂ２）と左前側板部（左フロント側板部２３ｂ）と左前梁（左フロント上支持梁２５ａ１、２５ａ２、左フロント中支持梁２５ｂ１、２５ｂ２）と前中間連結部（前方中間フレーム５１）とを含んでなる前部分（フロント部２１）に対して、右後側板部（右テール側板部３３ａ）と右後梁（右テール上支持梁３４ａ、右テール中支持梁３４ｂ）と左後側板部（左テール側板部３３ｂ）と左後梁（左テール上支持梁３５ａ、左テール中支持梁３５ｂ）と後中間連結部（後方中間フレーム５５）とを含んでなる後部分（テール部３１）が前後方向に変位可能に取り付けられると共に、前部分（フロント部２１）に対して後部分（テール部３１）を前後方向に駆動する駆動手段（ここでは推進ジャッキ４１）を有してなるものである。
【００３４】
本オープンシールド機１１においては、右側板部（右フロント側板部２３ａ、右テール側板部３３ａ）の外面と左側板部（左フロント側板部２３ｂ、左テール側板部３３ｂ）の外面とが互いに略平行であり、右梁（右フロント上支持梁２４ａ１、２４ａ２、右フロント中支持梁２４ｂ１、２４ｂ２、右テール上支持梁３４ａ、右テール中支持梁３４ｂ）及び左梁（左フロント上支持梁２５ａ１、２５ａ２、左フロント中支持梁２５ｂ１、２５ｂ２、左テール上支持梁３５ａ、左テール中支持梁３５ｂ）の長手方向が該両方の外面に略垂直なものである。
本オープンシールド機１１においては、中間連結部（前方中間フレーム５１、後方中間フレーム５５）は、右梁（右フロント上支持梁２４ａ１、２４ａ２、右フロント中支持梁２４ｂ１、２４ｂ２、右テール上支持梁３４ａ、右テール中支持梁３４ｂ）の他端が一面に取り付けられる右取付板（前方中間フレーム５１の第１取付板５３ａ、後方中間フレーム５５の第１取付板５８ａ）と、左梁（左フロント上支持梁２５ａ１、２５ａ２、左フロント中支持梁２５ｂ１、２５ｂ２、左テール上支持梁３５ａ、左テール中支持梁３５ｂ）の他端が一面に取り付けられ右取付板（前方中間フレーム５１の第１取付板５３ａ、後方中間フレーム５５の第１取付板５８ａ）と略平行な左取付板（前方中間フレーム５１の第２取付板５３ｂ、後方中間フレーム５５の第２取付板５８ｂ）と、右取付板（前方中間フレーム５１の第１取付板５３ａ、後方中間フレーム５５の第１取付板５８ａ）の他面と左取付板（前方中間フレーム５１の第２取付板５３ｂ、後方中間フレーム５５の第２取付板５８ｂ）の他面とに対して主表面が略垂直になるように右取付板（前方中間フレーム５１の第１取付板５３ａ、後方中間フレーム５５の第１取付板５８ａ）の他面に一縁が取り付けられると共に左取付板（前方中間フレーム５１の第２取付板５３ｂ、後方中間フレーム５５の第２取付板５８ｂ）の他面に他縁が取り付けられ右取付板（前方中間フレーム５１の第１取付板５３ａ、後方中間フレーム５５の第１取付板５８ａ）と左取付板（前方中間フレーム５１の第２取付板５３ｂ、後方中間フレーム５５の第２取付板５８ｂ）とを連結する連結板（前方中間フレーム５１の連結板は、縦部材５４ａ１、５４ａ２、５４ａ３、５４ａ４と、横部材５４ｂ１、５４ｂ２、５４ｂ３、５４ｂ４と、を含んでなる。後方中間フレーム５５の連結板は、縦部材５７ａ１、５７ａ２と、横部材５７ｂ１、５７ｂ２、５７ｂ３、５７ｂ４と、を含んでなる。）と、を有してなるものである。
本オープンシールド機１１においては、２以上の連結板（前方中間フレーム５１の連結板は、縦部材５４ａ１、５４ａ２、５４ａ３、５４ａ４と、横部材５４ｂ１、５４ｂ２、５４ｂ３、５４ｂ４と、を含んでなる。後方中間フレーム５５の連結板は、縦部材５７ａ１、５７ａ２と、横部材５７ｂ１、５７ｂ２、５７ｂ３、５７ｂ４と、を含んでなる）が設けられ、該２以上設けられる連結板が、主表面が略直交するもの（前方中間フレーム５１の連結板は、縦部材５４ａ２、５４ａ３の主表面と、横部材５４ｂ１、５４ｂ２、５４ｂ３、５４ｂ４の主表面と、が略直交する。後方中間フレーム５５の連結板は、縦部材５７ａ１、５７ａ２の主表面と、横部材５７ｂ１、５７ｂ２、５７ｂ３、５７ｂ４の主表面と、が略直交する。）を含むものである。
【００３５】
図１４及び図１５を参照しつつ説明したオープンシールド工法は、埋設すべき埋設物（ここではボックスカルバート２０３）の設置面である埋設物設置面よりも上面が上方に存する既存物（ここでは地中構造物３０１）が埋設位置に沿って存在する場合の本オープンシールド機１１を用いたオープンシールド工法であって、埋設物設置面に沿った一方面に一方側板部（ここでは左側板部（左フロント側板部２３ｂ、左テール側板部３３ｂ））の下縁（下縁８１ｂ、下縁８３ｂ）を当接させると共に、既存物（地中構造物３０１）の上面である既存物上面又は既存物（地中構造物３０１）上面を覆う覆い層の表面（地中構造物３０１を避けて土砂を掘削した面５０１）である他方面に他方側板部（ここでは右側板部（右フロント側板部２３ａ、右テール側板部３３ａ）の下縁（下縁８１ａ、下縁８３ａ）を当接させて該オープンシールド機１１を前進させるものである、オープンシールド工法である。
【符号の説明】
【００３６】
３ａ              右フロント側面板
３ｂ              左フロント側面板
５ａ              右テール側面板
５ｂ              左テール側面板
１１                本オープンシールド機
１１ｃ              内部
２１                フロント部
２３ａ              右フロント側板部
２３ｂ              左フロント側板部
２４                右フロント支持梁
２４ａ１、２４ａ２  右フロント上支持梁
２４ｂ１、２４ｂ２  右フロント中支持梁
２４ｃ              右フロント下支持梁
２５                左フロント支持梁
２５ａ１、２５ａ２  左フロント上支持梁
２５ｂ１、２５ｂ２  左フロント中支持梁
２５ｃ              左フロント下支持梁
３１                テール部
３３ａ              右テール側板部
３３ｂ              左テール側板部
３４                右テール前方支持梁
３４ａ              右テール上支持梁
３４ｂ              右テール中支持梁
３５                左テール前方支持梁
３５ａ              左テール上支持梁
３５ｂ              左テール中支持梁
３５ｃ              テール後方支持梁
３９                反力板
４１                推進ジャッキ
５１                前方中間フレーム
５２                切り欠き部
５３ａ              第１取付板
５３ａａ            内面
５３ａｒａ、５３ａｒｂ  補強リブ
５３ａｔａ、５３ａｔｂ  あて板
５３ｂ              第２取付板
５３ｂａ            内面
５３ｂｒａ、５３ｂｒｂ  補強リブ
５３ｂｔａ、５３ｂｔｂ  あて板
５４                連結板
５４ａ１、５４ａ２、５４ａ３、５４ａ４  縦部材
５４ｂ１、５４ｂ２、５４ｂ３、５４ｂ４  横部材
５５                後方中間フレーム
５６                切り欠き部
５７                連結板
５７ａ１、５７ａ２  縦部材
５７ｂ１、５７ｂ２、５７ｂ３、５７ｂ４  横部材
５８ａ              第１取付板
５８ａａ            内面
５８ａｔａ、５８ａｔｂ  あて板
５８ｂ              第２取付板
５８ｂａ            内面
５８ｂｔａ、５８ｂｔｂ  あて板
５９                連結部
５９ａ              連結板
５９ｂ              補強板
６１                制御部
８１ａ、８３ａ、８１ｂ、８３ｂ  下縁
１０１                オープンシールド機（従来）
１０１ｃ              内部空間
１２５                フロント支持梁
１３５                テール支持梁
２０１                地中構造物
２０３                ボックスカルバート
３０１                別の地中構造物
３０２                流路
４０１                後方の土砂
５０１                土砂を掘削した面
【図１】
0005999710.tif 000002
【図２】
0005999710.tif 000003
【図３】
0005999710.tif 000004
【図４】
0005999710.tif 000005
【図５】
0005999710.tif 000006
【図６】
0005999710.tif 000007
【図７】
0005999710.tif 000008
【図８】
0005999710.tif 000009
【図９】
0005999710.tif 000010
【図１０】
0005999710.tif 000011
【図１１】
0005999710.tif 000012
【図１２】
0005999710.tif 000013
【図１３】
0005999710.tif 000014
【図１４】
0005999710.tif 000015
【図１５】
0005999710.tif 000016
【図１６】
0005999710.tif 000017